(57)【要約】【課題】カバー枠に対してカバーを容易に着脱でき、メンテナンス作業を容易に行うことができると共に維持費を低減し得るパネル構造を提供する。【解決手段】フィルタパネル２１の前面部２２には、両側部に抜け留めネジ２５が取付けられる。フィルタパネル２１には、フィルタ枠２６が取付けられ、ネジ２７により固定される。フィルタ枠２６には、内側前面側にエキスパンドメタル２８が取付けられ、その内側にフィルタ２９が着脱可能に設けられる。フィルタ２９は、裏面側がフィルタストッパ３１によって保持される。このフィルタストッパ３１は、両先端部がフィルタ枠２６に設けられたバカ穴に挿入されて回動可能に保持されると共に、フィルタパネル２１の両側部内側に形成される係止爪３２に係止してフィルタ２９を保持する。フィルタパネル２１は、両側に設けられたガイドレール３３を利用して装置筐体へ取付けられる。【選択図】    図１
2004356423.tif 000002
【特許請求の範囲】
【請求項１】
電子機器筐体に取付けられるパネルと、前記パネルにカバー枠と共に装着されるカバーと、前記カバーを前記カバー枠に着脱可能に保持するストッパとを具備したことを特徴とするパネル構造。
【請求項２】
前記パネルは、カバーとの対向面が通気性の良い網目状に形成されていることを特徴とする請求項１記載のパネル構造。
【請求項３】
前記ストッパは、パネル又はカバー枠に回動可能に設けられ、該パネル又はカバー枠に設けられた係止爪に係止されてカバーを保持することを特徴とする請求項１又は２に記載のパネル構造。
【発明の詳細な説明】
【０００１】
【発明の属する技術分野】
本発明は、例えばフィルタ等のカバーをカバー枠と共に電子機器筐体に取付けるパネル構造に関する。
【０００２】
【従来の技術】
従来、電子回路を内部に収納している電子機器においては、防水、換気、電磁シールド性を保つために、メッシュ型の金属カバーで電子機器筐体を覆うことが一般に行われている（例えば、特許文献１参照。）。
【０００３】
図８は、フィルタカバーをフィルタパネルに取付けて電子機器を覆うようにした従来のパネル構造の斜視図を示したものである。同図において、１１はフィルタパネルで、このフィルタパネル１１にはフィルタカバーユニット１２がネジ１３により共締めして取付けられる。また、上記フィルタパネル１１には、フィルタカバーユニット１２の両側に位置するようにガイドレール１４が装着され、このガイドレール１４を利用して電子機器等の装置筐体（図示せず）への取付けが行われる。更に、フィルタパネル１１の前面両側には、抜け留めネジ１５が設けられる。この抜け留めネジ１５は、フィルタパネル１１を装置筐体に固定するためのものである。
【０００４】
上記フィルタカバーユニット１２は、図９（ａ）、（ｂ）に示すように構成される。図９（ａ）はフィルタカバーユニット１２の裏面（上面）側の斜視図、同図（ｂ）はフィルタカバーユニット１２の表面（下面）側の斜視図である。フィルタカバーユニット１２は、枠状のフィルタカバー１６の表面側に表側エキスパンドメタル１７、裏面側に裏側エキスパンドメタル１８を設け、その間にフィルタ１９を設けている。すなわち、上記フィルタカバーユニット１２は、表側エキスパンドメタル１７を設けたフィルタカバー１６内にフィルタ１９を装着し、その後、フィルタカバー１６の裏面側に裏側エキスパンドメタル１８を溶接により固着している。また、フィルタカバー１６の一側面には、上記図８に示したユニット取付け用のネジ１３に対するネジ穴１３ａが設けられる。
【０００５】
【特許文献１】
実公平７−４４０７５号公報
【０００６】
【発明が解決しようとする課題】
上記のように従来では、フィルタカバー１６内にフィルタ１９を装着した後、裏側エキスパンドメタル１８を溶接により固着しているので、フィルタカバー１６から裏側エキスパンドメタル１８を取外すことが困難であり、フィルタカバー１６内のフィルタ１９を取出すことができない。このため目詰まりしたフィルタ１９を交換する場合には、フィルタパネル１１とフィルタカバーユニット１２を共締めしているネジ１３を取外し、フィルタカバーユニット１２こど交換している。
【０００７】
フィルタカバーユニット１２は、構成が複雑で高価なものであり、且つ、その着脱も簡単にはできないので、メンテナンスが面倒であると共に維持費が高価になるという問題がある。
【０００８】
本発明は上記の課題を解決するためになされたもので、カバーを容易に着脱でき、メンテナンス作業を容易に行うことができると共に維持費を低減し得るパネル構造を提供することを目的とする。
【０００９】
【課題を解決するための手段】
本発明に係るパネル構造は、電子機器筐体に取付けられるパネルと、前記パネルにカバー枠と共に装着されるカバーと、前記カバーを前記カバー枠に着脱可能に保持するストッパとを具備したことを特徴とするパネル構造。
【００１０】
上記の構成によれば、ストッパによってカバーをカバー枠に着脱可能に保持することができ、カバーの交換に際してはカバーのみを交換することが可能である。従って、カバー枠を交換する必要はなく、メンテナンス作業が容易となり、維持費を低減することができる。
【００１１】
【発明の実施の形態】
以下、図面を参照して本発明の一実施形態を説明する。
図１ないし図７は、電子機器を覆うカバーとしてフィルタを用いた場合のパネル構造を示したもので、図１はフィルタユニットの全体構成を示す斜視図、図２はフィルタパネルの詳細を示す図、図３はカバー枠部分の詳細を示す図、図４はフィルタの詳細を示す図、図５はフィルタストッパの詳細を示す図、図６は抜け留めネジの詳細を示す図、図７はフィルタユニットを装置筐体に装着した状態を示す外観構成図である。
【００１２】
まず、図１によりフィルタユニット２０の全体の概略構成について説明する。図１において、２１は図２に詳細を示すフィルタパネルで、前面部２２の中央部につまみ部２３が設けられる。上記前面部２２は、両側部が側方に突出して設けられると共に略コの字状に折曲げられ、この折曲げ部２４に抜け留めネジ２５が取付けられる。この抜け留めネジ２５は、フィルタパネル２１を装置筐体に固定するためのものである。
【００１３】
上記フィルタパネル２１には、カバー枠、この例ではフィルタ枠２６が取付けられ、例えば２つのネジ２７により前面部２２に共締めされて固定される。フィルタ枠２６には、内側前面側に図３に詳細を示すエキスパンドメタル２８が取付けられ、その内側にカバーとしてフィルタ２９が着脱可能に設けられる。
【００１４】
上記フィルタ枠２６内に装着されたフィルタ２９は、図１に示したように裏面側がフィルタストッパ３１によって保持される。このフィルタストッパ３１は、両先端部がフィルタ枠２６に設けられたバカ穴に挿入されて回動可能に保持されると共に、フィルタパネル２１の両側部内側に形成される係止爪３２に係止してフィルタ２９を保持するもので、その詳細については後述する。
【００１５】
また、上記フィルタパネル２１の両側には、ガイドレール３３が装着され、このガイドレール３３を利用して装置筐体への取付けが行われる。
【００１６】
次に、上記各部の詳細について説明する。
図２はフィルタパネル２１の詳細を示したもので、（ａ）は上面図、（ｂ）は左側面図（前面側）、（ｃ）は右側面図（後面側）、（ｄ）は上側面図、（ｅ）は下側面図、（ｆ）は下面図である。フィルタパネル２１は、例えば枠状に形成され、中央部に抜き穴３７が設けられている。この抜き穴３７は、フィルタ２９及びエキスパンドメタル２８が機能を発揮できるように設けたものである。なお、フィルタパネル２１は、抜き穴３７に代えて通気性の良い網目状（メッシュ状）に形成しても良い。
【００１７】
上記フィルタパネル２１には、前面部２２の他、両側に立上り部２１ａ、２１ｂが設けられると共に、後面の中央部に立上り部２１ｃが設けられる。
【００１８】
上記フィルタパネル２１の前面部２２には、中央部の上端に略Ｌ字状のつまみ部２３が設けられ、その内側の幅は人の指が入る程度の大きさに設定される。すなわち、つまみ部２３の内側に下方から手を入れ、フィルタユニット２０の抜き差しができるようになっている。また、前面部２２には、図２（ｂ）に示すように上記ネジ２７を挿入するためのバカ穴３５が設けられると共に、両側の折曲げ部２４に抜け留めネジ２５を挿着するためのバカ穴３６が設けられる。
【００１９】
また、フィルタパネル２１の両側の立上り部２１ａ、２１ｂには、ガイドレール３３を固定するためのバカ穴３８が設けられると共に、上記フィルタストッパ３１を係止するための係止爪３２が内側後部に設けられる。この係止爪３２は、例えば上記立上り部２１ａ、２１ｂに切り込みを入れ、内側に折曲げることによって形成されるもので、図２（ｃ）に示すように上部が傾斜して設けられ、フィルタストッパ３１を傾斜部に沿って係止爪３２の下側に押し込みやすいようになっている。更に、フィルタパネル２１の後面立上り部２１ｃには、中央にフィルタ枠２６をネジにより共締めするためのバカ穴３９が設けられる。
【００２０】
図３はフィルタ枠２６及びエキスパンドメタル２８の詳細を示したもので、（ａ）は上面図、（ｂ）は左側面図、（ｃ）は右側面図、（ｄ）は上側面図（後面側）、（ｅ）は下側面図（前面側）、（ｆ）は下面図である。
【００２１】
フィルタ枠２６は、前面部２２の形状に合わせて四角形の枠状に形成されていると共に各辺の断面が略Ｌ字状に形成され、内側に設けられるエキスパンドメタル２８を保持できるようになっている。上記フィルタ枠２６の内側に設けられるエキスパンドメタル２８は、通気性の良い網目状（メッシュ状）に形成され、例えばスポット溶接によりフィルタ枠２６に固着される。
【００２２】
また、フィルタ枠２６の前面側には、図３（ｅ）に示すように２つのタップ穴４１が設けられる。このタップ穴４１は、フィルタパネル２１の前面部２２に設けられたバカ穴３５に対応する位置に設けられる。また、フィルタ枠２６の後面側には、図３（ｄ）に示すようにタップ穴４２が設けられる。このタップ穴４２は、フィルタパネル２１の後面立上り部２１ｃに設けられたバカ穴３９に対応する位置に設けられる。
【００２３】
更に、フィルタ枠２６の両側面には、図３（ｂ）、（ｃ）に示すように前面側の近傍で、且つエキスパンドメタル２８に近接する位置にフィルタストッパ３１を保持するためのストッパ係止穴４３が設けられる。このストッパ係止穴４３は、フィルタストッパ３１の先端部を回動可能に保持する。また、フィルタ枠２６の両側面には、図１に示したようにフィルタストッパ３１によりフィルタ２９を押さえた際、フィルタストッパ３１が当接しないように凹部を形成しても良い。
【００２４】
また、フィルタ枠２６の開口部側には、例えば四隅に係止片４４（破線で示す）を必要に応じて設ける。この係止片４４は、フィルタストッパ３１を使用しない場合においても、フィルタ枠２６内に装着されたフィルタ２９を保持できるようにしたものである。
【００２５】
上記フィルタ枠２６内には、図４に詳細を示すようにフィルタ枠２６の形状に合わせて方形状に形成されたフィルタ２９がエキスパンドメタル２８上に位置するように装着される。上記フィルタ２９は、スポンジ状の物、例えばエバーライトスコットが使用され、装置筐体に塵や埃が入らないようにする機能、及び装置筐体内に風を通す通風孔の機能を備えている。また、エキスパンドメタル２８は、通風孔とフィルタ２９の保護を兼ねている。
【００２６】
図５（ａ）、（ｂ）は、フィルタストッパ３１の詳細を示したもので、（ａ）は正面図、（ｂ）は側面図である。フィルタストッパ３１は、略コの字形の形状を有し、その両側部がフィルタ枠２６の両側に位置するように設定される。フィルタストッパ３１の中央部は、内側に折曲げられてハンドル部５１を構成している。また、フィルタストッパ３１の両側部は、途中から僅かに内側及び下方に折曲げられると共に、先端部がＬ字状に内側に折曲げられて爪部５２を形成している。更に、フィルタストッパ３１は、両側の折曲げ部近傍が略コの字状に折曲げられ、係止部５３を構成している。
【００２７】
上記フィルタストッパ３１は、爪部５２がフィルタ枠２６の両側に設けられているストッパ係止穴４３内に挿入され、回動可能に保持される。上記フィルタ枠２６をフィルタストッパ３１と共にフィルタパネル２１に取付けた際、フィルタストッパ３１の係止部５３をフィルタパネル２１に設けられている係止爪３２に係止することにより、フィルタストッパ３１によってフィルタ２９をフィルタ枠２６内に保持する。
【００２８】
上記フィルタ枠２６をフィルタパネル２１に取り付ける際には、予めフィルタ枠２６内にフィルタ２９を装着すると共に、ストッパ係止穴４３にフィルタストッパ３１の爪部５２を挿入しておく。この状態で図１に示したようにフィルタ枠２６をフィルタパネル２１の内側に位置させ、フィルタ枠２６の前面に設けたタップ穴４１を前面部２２のバカ穴３５に一致させる。そして、上記前面部２２のバカ穴３５を介してフィルタ枠２６のタップ穴４１にネジ２７を螺入し、締め付けて前面部２２とフィルタ枠２６を固定する。
【００２９】
また、フィルタパネル２１の後面の立上り部２１ｃに設けられているバカ穴３９よりフィルタ枠２６の後面のタップ穴４２にネジ（図示せず）を螺入し、締め付けて両者を固定する。その後、フィルタストッパ３１のハンドル部５１を図１の矢印ａで示すようにフィルタ２９に向けて倒すと、フィルタストッパ３１は爪部５２を中心にして回動する。その後、更に、フィルタストッパ３１のハンドル部５１を押して、フィルタストッパ３１の係止部５３をフィルタパネル２１に両側に設けられている係止爪３２に係止させる。これによりフィルタ枠２６内に位置させたフィルタ２９をフィルタストッパ３１で押さえることができる。
【００３０】
そして、フィルタ枠２６からフィルタ２９を取出す場合は、フィルタストッパ３１のハンドル部５１を手で挟み込んで、フィルタストッパ３１の係止部５３をフィルタパネル２１の係止爪３２から外して、フィルタストッパ３１を前面部２２側に回転させる。上記のようにフィルタストッパ３１の係止部５３をフィルタパネル２１の係止爪３２から外すと、フィルタストッパ３１は爪部５２を中心として前面部２２側に容易に回転させることが可能となり、フィルタ枠２６からフィルタ２９を取出すことができる。この場合、フィルタパネル２１にフィルタ枠２６を固定した状態のまま、フィルタ２９を取出すことができる。
【００３１】
従って、フィルタ２９が目詰まりしたときに、フィルタストッパ３１を上方に回転させてフィルタ枠２６からフィルタ２９を取出し、新たなフィルタ２９と交換する。新たなフィルタ２９は、フィルタ枠２６内に装着した後、上記したようにフィルタストッパ３１のハンドル部５１を手で押して回転させることにより、容易に固定することができる。
【００３２】
図６は、抜け留めネジ２５の詳細を示す側面図である。抜け留めネジ２５を前面部２２の折曲げ部２４に取付ける際は、抜け留めネジ２５に予めコイル状のバネ６１とネジワッシャ６２を装着した後、この抜け留めネジ２５を前面部２２の折曲げ部２４に設けられたバカ穴３６に挿入し、その先端側に平ワッシャ６３を装着する。この平ワッシャ６３は、抜け留めネジ２５のタップ部２５ａを通過させた後、例えばペンチなどで潰し、抜け留めネジ２５から外れないようにする。
【００３３】
上記のようにして抜け留めネジ２５をフィルタパネル２１の前面部２２に取付けることにより、抜け留めネジ２５は、前面部２２の折曲げ部２４に設けられたバカ穴３６内で自由に回動させることができ、且つ前面部２２から外れることもない。
【００３４】
なお、抜け留めネジ２５の装着方法は、上記の方法に限定されるものではなく、その他、例えば平ワッシャとナット等を用いて取付けるようにしても良い。
【００３５】
次に、上記のようにして構成したフィルタユニット２０を電子機器等の装置筐体に装着する場合について図７を参照して説明する。
図７はフィルタユニット２０を電子機器等の装置筐体７１に装着した状態を底面方向から見た外観構成図である。なお、図７では、装置筐体７１の上部開口部に設けられているファンユニットに対してフィルタユニット２０を装着した場合の例を示している。
【００３６】
装置筐体７１の底部には、例えば四隅に脚部７２ａ〜７２ｄが設けられ、装置筐体７１の底面部にフィルタユニット２０を取付けるための空間部を形成している。この場合、フィルタユニット２０を取付ける側の脚部７２ａ、７２ｂには、フィルタユニット２０の抜け留めネジ２５に対応する位置にタップ穴を設けている。すなわち、脚部７２ａ、７２ｂは、フィルタユニット２０に対する固定部を兼ねた構成となっている。また、装置筐体７１の底面には、フィルタ取付用の一対のレール部７３が設けられる。このレール部７３は、フィルタユニット２０のガイドレール３３に対応して設けられる。
【００３７】
そして、フィルタユニット２０を上記装置筐体７１に取り付ける場合には、フィルタユニット２０のガイドレール３３を装置筐体７１側のレール部７３に沿って挿入し、その後、抜け留めネジ２５を脚部７２ａ、７２ｂに設けられているタップ穴に螺入し、締め付けて固定する。
【００３８】
上記フィルタユニット２０は、装置筐体７１に対する塵や埃をフィルタ２９により防ぐと共に、ファンユニットが作動した際に装置筐体７１の換気を円滑に行う作用を有している。
【００３９】
そして、上記換気動作に伴うフィルタ２９の目詰まり等により、装置筐体７１からフィルタユニット２０を取外す場合には、抜け留めネジ２５を緩めるだけで簡単に取外すことができる。
【００４０】
上記実施形態で示したようにフィルタユニット２０は、フィルタ枠２６に装着したフィルタ２９を回動可能に設けたフィルタストッパ３１により保持しているので、フィルタ枠２６に対するフィルタ２９の着脱を簡単に行うことができる。従って、フィルタ２９が目詰まりした場合には、フィルタ２９のみを交換することができ、フィルタ枠２６ごと交換する必要はない。
【００４１】
なお、上記実施形態では、カバーとしてフィルタ２９を用いた場合について示したが、その他の部材を用いる場合であっても上記実施形態と同様にして実施し得るものである。
【００４２】
また、上記実施形態では、係止爪３２をフィルタパネル２１に設けた場合について示したが、その他、例えば係止爪３２をフィルタ枠２６の側部に設けても、フィルタストッパ３１を係止することが可能である。
【００４３】
更に、上記実施形態では、フィルタストッパ３１の爪部５２をフィルタ枠２６に設けたストッパ係止穴４３に挿入して回動可能に保持する場合について示したが、ストッパ係止穴４３はフィルタパネル２１側に設けても上記実施形態と同様の動作を行わせることができる。
【００４４】
本発明は、上記実施形態そのままに限定されるものではなく、実施段階ではその要旨を逸脱しない範囲で構成要素を変形して具体化できるものである。
【００４５】
【発明の効果】
以上詳記したように本発明によれば、カバー枠に対してストッパを回動可能に設け、該ストッパを所定位置まで回動したときに係止爪に係止させてカバーをカバー枠に固定することにより、カバーのみを容易に交換でき、メンテナンス作業を簡単に行うことができると共に維持費を低減することができる。
【図面の簡単な説明】
【図１】本発明の一実施形態に係るフィルタユニットの全体構成を示す斜視図。
【図２】（ａ）は同実施形態におけるフィルタパネルの詳細を示す上面図、（ｂ）は同左側面図（前面側）、（ｃ）は同右側面図（後面側）、（ｄ）は同上側面図、（ｅ）は同下側面図、（ｆ）は同下面図。
【図３】（ａ）は同実施形態におけるカバー枠の詳細を示す上面図、（ｂ）は同左側面図、（ｃ）は同右側面図、（ｄ）は同上側面図（後面側）、（ｅ）は同下側面図（前面側）、（ｆ）は同下面図。
【図４】同実施形態におけるフィルタの詳細を示す斜視図。
【図５】（ａ）は同実施形態におけるフィルタストッパの詳細を示す正面図、（ｂ）は同側面図。
【図６】同実施形態における抜け留めネジの詳細を示す側面図。
【図７】同実施形態におけるフィルタユニットを装置筐体に装着した状態を示す外観構成図。
【図８】従来のカバー構造を示す斜視図。
【図９】（ａ）は図８におけるフィルタカバーユニットの裏面（上面）側の斜視図、（ｂ）は同フィルタカバーユニットの表面（下面）側の斜視図。
【符号の説明】
２０…フィルタユニット
２１…フィルタパネル
２２…前面部
２３…つまみ部
２４…折曲げ部
２５…抜け留めネジ
２５ａ…タップ部
２６…フィルタ枠
２７…ネジ
２８…エキスパンドメタル
２９…フィルタ
３１…フィルタストッパ
３２…係止爪
３３…ガイドレール
３５、３６、３８、３９…バカ穴
３７…抜き穴
４１、４２…タップ穴
４３…ストッパ係止穴
４４…係止片
５１…ハンドル部
５２…爪部
５３…係止部
６１…コイル状のバネ
６２…ネジワッシャ
６３…平ワッシャ
７１…装置筐体
７２ａ〜７２ｄ…脚部
７３…レール部
【図１】
2004356423.tif 000003
【図２】
2004356423.tif 000004
【図３】
2004356423.tif 000005
【図４】
2004356423.tif 000006
【図５】
2004356423.tif 000007
【図６】
2004356423.tif 000008
【図７】
2004356423.tif 000009
【図８】
2004356423.tif 000010
【図９】
2004356423.tif 000011